(57)【特許請求の範囲】
【請求項１】
サイディング材を、窓枠や水切り等の外装部品の上方に位置するように、かつ外装部品から所定間隔離間するようにして外壁に取り付けるためのサイディング取付金具において、
外壁の表面に取付固定される取付金具本体と、
この取付金具本体の表面に設けられ、左右のサイディング材の各縁部に設けられた被係合部にそれぞれ係合するサイディング材係合部と、
前記取付金具本体の上下縁部に設けられるとともに  この取付金具本体の上下縁部から外方に突出し、サイディング材を前記外壁の表面から離間させて支持する上側支持脚および下側支持脚とを備えており、
前記上側支持脚には、この上側支持脚の突端に、前記サイディング材の裏面に当接する当接面が設けられており、
前記下側支持脚には、この下側支持脚と一体的に形成されるとともに、この下側支持脚の突端から下方に向かって、前記外装部品の上端部近傍まで延出し、前記サイディング材の裏面に当接する延出部と、この延出部の下端から外方に突出し、前記サイディング材の下端面に当接する当接部とが設けられていることを特徴とするサイディング取付金具。
【請求項２】
請求項１に記載のサイディング取付金具において、
前記サイディング材係合部は、前記左右のサイディング材の被係合部を挿入するための空間を形成する立脚部と、この立脚部の上端部から所定の角度で左右交互に折曲加工された複数の係合片とを備えていることを特徴とするサイディング取付金具。
【請求項３】
請求項１または２に記載のサイディング取付金具を用いて複数のサイディング材を外壁に取り付けるサイディング材の取付構造であって、
左右に隣り合うサイディング取付金具間にサイディング材が配置されるとともに、このサイディング材の一方の被係合部が、一方の前記サイディング取付金具のサイディング材係合部に係合しており、前記サイディング材の他方の被係合部が、他方の前記サイディング取付金具のサイディング材係合部に係合しており、
前記サイディング材の下端面が、前記一方のサイディング取付金具の当接部および前記他方のサイディング取付金具の当接部にそれぞれ当接していることを特徴とするサイディング材の取付構造。
【請求項４】
請求項３に記載のサイディング材の取付構造において、
前記延出部と外壁との間に隙間が形成されていることを特徴とするサイディング材の取付構造。
【発明の詳細な説明】
【技術分野】
【０００１】
本発明は、サイディング材を、窓枠や水切り等の外装部品の上方に位置するように、かつ外装部品から所定間隔離間するようにして外壁に取り付けるためのサイディング取付金具、および、これを用いたサイディング材の取付構造に関する。
【０００２】
近年、住宅等の建物の構築についてはその工業化が進み、例えば壁や床、屋根といった構成要素を予め工場にてパネル化しておき、施工現場でこれらのパネルを組み立てることにより、建物を構築するといったパネル工法が一部に採用されている。
このようなパネル工法の一例として、外装材を住宅の壁体に取り付けるための外装材取付金具、この外装材取付金具を用いた外装材取付構造、および外装材取付方法に関する技術が知られている（特許文献１参照）。
【０００３】
また、このような技術によって壁体に外装材を縦貼りする際は、取付金具が止着された横胴縁を壁体に固定してから、この取付金具に外装材を係合させて壁体に取り付けるようにしている。
【特許文献１】特開２００１−０４９８３４号公報
【発明の開示】
【発明が解決しようとする課題】
【０００４】
ところが、外装材を縦貼りするに際して、上記特許文献１の取付金具は外装材の左右に係合しているので、外装材の左右へのずれを防ぐことはできるものの、この取付金具だけで外装材自体の重量を支持することはできないため、外装材の下方へのずれを防ぐことは困難であった。
このように外装材にずれが生じた際は、例えば外装材と外装部品との接触や外壁下地の露出、雨水の流入等の様々な問題が生じてしまうため、外装材の取付位置を再調整するなど非常に手間がかかっていた。
その上、このような外装材の下方へのずれを防ぐために、例えば、外装材を釘打ちして外壁に固定してしまった場合、外装材が破損してしまったり、釘頭の補修作業を行わなければならなかったり等、さらに手間がかかってしまう場合があった。
【０００５】
そこで、外装材を縦貼りするに際して、外装材（以下、サイディング材）を位置ずれなく外壁に取り付けることを可能とし、これによって、上述のような作業手間を省略することが可能な技術の開発が強く望まれていた。
【０００６】
本発明の課題は、サイディング材を縦貼りするに際して、サイディング材を位置ずれなく外壁に取り付けることが可能なサイディング取付金具およびサイディング材の取付構造を提供することを目的とする。
【課題を解決するための手段】
【０００７】
請求項１に記載の発明は、例えば図１〜図３に示すように、サイディング材２を、窓枠や水切り等の外装部品３の上方に位置するように、かつ外装部品３から所定間隔離間するようにして外壁４に取り付けるためのサイディング取付金具１において、
外壁４の表面に取付固定される取付金具本体１０と、
この取付金具本体１０の表面に設けられ、左右のサイディング材２の各縁部に設けられた被係合部２ａ，２ｂにそれぞれ係合するサイディング材係合部１１と、
前記取付金具本体１０の上下縁部に設けられるとともに  この取付金具本体１０の上下縁部から外方に突出し、サイディング材２を前記外壁４の表面から離間させて支持する上側支持脚１２および下側支持脚１３とを備えており、
前記上側支持脚１２には、この上側支持脚１２の突端に、前記サイディング材２の裏面に当接する当接面１２ａが設けられており、
前記下側支持脚１３には、この下側支持脚１３と一体的に形成されるとともに、この下側支持脚１３の突端から下方に向かって、前記外装部品３の上端部近傍まで延出し、前記サイディング材２の裏面に当接する延出部１４と、この延出部１４の下端から外方に突出し、前記サイディング材２の下端面に当接する当接部１５とが設けられていることを特徴とする。
【０００８】
請求項１に記載の発明によれば、前記外壁４の表面に取付金具本体１０を取付固定し、この取付金具本体１０の表面に設けられたサイディング材係合部１１に前記左右のサイディング材２の被係合部２ａ，２ｂをそれぞれ係合させることによって、前記外壁４にサイディング材２を取り付けることができるので、前記サイディング材係合部１１によってサイディング材２の左右方向へのずれを確実に防ぐことができる。
そして、前記延出部１４の下端から外方に突出する当接部１５が、前記サイディング材２の下端面に当接するので、前記下側支持脚１３の突端から延出する延出部１４と、この延出部１４の下端から外方に突出する当接部１５とによって、前記サイディング材２の重量を容易、かつ確実に支承することができる。これによって、前記サイディング材２の下方へのずれを確実に防ぐことができる。
これによって、前記サイディング材２を位置ずれなく外壁４に取り付けることができるので、従来とは異なり、サイディング材２の取付に係る作業手間を省略することが可能となる。
また、前記下側支持脚１３と延出部１４とが一体的に形成されているので、前記取付金具本体１０が取付固定された位置に対応して、前記延出部１４および当接部１５が、取付金具本体１０の下方に位置することとなる。
これによって、前記取付金具本体１０の表面に設けられた前記サイディング材係合部１１によって、サイディング材２の左右方向へのずれをより確実に防ぐと同時に、前記延出部１４および当接部１５によって、サイディング材２の下方へのずれをより確実に防ぐことができ、サイディング材２を位置ずれなく外壁４に取り付けることができる。
【０００９】
さらに、前記サイディング材係合部１１にサイディング材２を係合させるとともに、前記当接部１５にサイディング材２の下端面を当接させるだけで、前記サイディング材２を前記外装部品３から所定間隔離間させつつ、該外装部品３の上端部近傍に寄せて取り付けることができるので、サイディング材２の取り付けに際して位置決めを容易に、かつ正確に行うことができる。
【００１０】
また、前記上側支持脚１２および下側支持脚１３によって、前記サイディング材２を前記外壁４の表面から離間させて支持することができるので、前記サイディング材２と外壁４との間に隙間を形成することができ、この隙間を水・通気経路として確保することができる。
しかも、このように前記上側支持脚１２および下側支持脚１３によって前記サイディング材２を支持することができるので、サイディング材２を安定して設けることができる。
【００１３】
請求項２に記載の発明は、例えば図１〜図３に示すように、請求項１に記載のサイディング取付金具１において、
前記サイディング材係合部１１は、前記左右のサイディング材２の被係合部２ａ，２ｂを挿入するための空間を形成する立脚部１１ａと、この立脚部１１ａの上端部から所定の角度で左右交互に折曲加工された複数の係合片１１ｂとを備えていることを特徴とする。
【００１４】
請求項２に記載の発明によれば、前記立脚部１１ａによって前記左右のサイディング材２の被係合部２ａ，２ｂを挿入するための空間を確保することができるので、この空間に前記左右のサイディング材２の被係合部２ａ，２ｂを挿入するだけで、前記複数の係合片１１ｂを前記被係合部２ａ，２ｂに容易、かつ確実に係合することができ、サイディング材２を前記外壁４に、より確実に取り付けることが可能となる。
【００１５】
請求項３に記載の発明は、例えば図２および図３に示すように、請求項１または２に記載のサイディング取付金具１を用いて複数のサイディング材２を外壁４に取り付けるサイディング材２の取付構造であって、
左右に隣り合うサイディング取付金具１，１間にサイディング材２が配置されるとともに、このサイディング材２の一方の被係合部２ａが、一方の前記サイディング取付金具１のサイディング材係合部１１に係合しており、前記サイディング材２の他方の被係合部２ｂが、他方の前記サイディング取付金具１のサイディング材係合部１１に係合しており、
前記サイディング材２の下端面が、前記一方のサイディング取付金具１の当接部１５および前記他方のサイディング取付金具１の当接部１５にそれぞれ当接していることを特徴とする。
【００１６】
請求項３に記載の発明によれば、前記サイディング材２の一方の被係合部２ａが、一方の前記サイディング取付金具１のサイディング材係合部１１に係合しており、前記サイディング材２の他方の被係合部２ｂが、他方の前記サイディング取付金具１のサイディング材係合部１１に係合するので、左右に隣り合うサイディング取付金具１，１間にサイディング材２を配置していくことで、複数のサイディング材２を外壁４に対してさらに確実に、かつ左右方向への位置ずれなく取り付けることが可能となる。
また、前記サイディング材２の下端面が、前記一方のサイディング取付金具１の当接部１５および前記他方のサイディング取付金具１の当接部１５にそれぞれ当接しているので、前記左右に隣り合うサイディング取付金具１，１によって、前記サイディング材２をさらに確実に、かつバランス良く支承することができる。これによって、前記複数のサイディング材２の下方へのずれを確実に防ぐことができる。
【００１７】
請求項４に記載の発明は、例えば図２に示すように、請求項３に記載のサイディング材２の取付構造において、
前記延出部１４と外壁４との間に隙間が形成されていることを特徴とする。
【００１８】
請求項４に記載の発明によれば、前記延出部１４と外壁４との間に隙間が形成されていることから、例えば、この隙間に、前記外壁４と外装部品３との接合箇所等を隠し、前記延出部１４によって遮蔽することができるので、見映えが良いだけでなく、前記外壁４と外装部品３との接合箇所からの雨水の流入等を確実に防ぐことができる。
【発明の効果】
【００１９】
本発明によれば、前記サイディング材係合部によってサイディング材の左右方向へのずれを確実に防ぐとともに、前記延出部および当接部によって前記サイディング材の重量を容易、かつ確実に支承することができ、前記サイディング材の下方へのずれを確実に防ぐことができるので、前記サイディング材を位置ずれなく外壁に取り付けることが可能となり、従来とは異なり、サイディング材の取り付けに係る作業手間を省略することが可能となる。
さらに、前記サイディング材係合部にサイディング材を係合させるとともに、前記当接部にサイディング材の下端面を当接させるだけで、前記サイディング材を前記外装部品から所定間隔離間させつつ、該外装部品の近傍に寄せて取り付けることができるので、サイディング材の取り付けに際して位置決めを容易に、かつ正確に行うことが可能となる。
また、サイディング取付金具を用いて複数のサイディング材を外壁に取り付ける際も、これら複数のサイディング材を位置ずれなく外壁に取り付けることができるので、従来とは異なり、サイディング材の取り付けに係る作業手間を省略することが可能となる。
【発明を実施するための最良の形態】
【００２０】
以下、図面を参照して本発明の実施の形態について説明する。
【００２１】
本実施の形態のサイディング取付金具１は、図１〜図３に示すように、サイディング材２を、窓枠や水切り等の外装部品３の上方に位置するように、かつ外装部品３から所定間隔離間するようにして外壁４に取り付けるためのものであり、
外壁４の表面に取付固定される取付金具本体１０と、
この取付金具本体１０の表面に設けられ、左右のサイディング材２の各縁部に設けられた被係合部２ａ，２ｂにそれぞれ係合するサイディング材係合部１１と、
前記取付金具本体１０の上下縁部に設けられ、サイディング材２を前記外壁４の表面から離間させて支持する上側支持脚１２および下側支持脚１３とを備えており、
前記下側支持脚１３には、この下側支持脚１３の突端から下方に向かって、前記外装部品３の上端部近傍まで延出する延出部１４と、この延出部１４の下端から外方に突出し、前記サイディング材２の下端面に当接する当接部１５とが設けられている。
【００２２】
ここで、前記サイディング材２は、高さ方向に向かって長尺に形成されており、図２および図３に示すように、前記取付金具本体１０の表面に設けられたサイディング材係合部１１に係合する被係合部２ａ，２ｂが、左右各縁部に設けられている。これら被係合部２ａ，２ｂは、前記サイディング材係合部１１に確実に係合できるように、幅方向一端には、切欠部２０ａが形成された上サネ２０を、他端には下サネ２１を備えている。
【００２３】
また、前記外装部品３は、本実施の形態においては、図２に示すように窓枠が採用されている。なお、本実施の形態の外装部品３は窓枠としたが、これに限られるものではなく、例えば前記水切り等でも良く、本発明の趣旨を逸脱しない範囲で適宜変更可能である。
【００２４】
さらに、前記外壁４は、縦框材４１と横框材４２とが矩形状に組み立てられるとともに、この矩形枠の内部に補強芯材４３が縦横に組まれて枠体４４が形成され、さらにこの枠体４４内にグラスウール等の断熱材が充填された状態で枠体４４の表裏面に合板等の面材４５，４５が貼設された壁パネル４０によって構成されている。
【００２５】
続いて、前記取付金具本体１０は、図１および図２に示すように、前記外壁４の表面に取付固定されるものであり、この取付金具本体１０の表面には、前記サイディング材係合部１１が設けられているとともに、取付金具本体１０を前記外壁４の表面にネジ止めして取付固定するためのネジ孔１０ａが形成されている。
【００２６】
前記サイディング材係合部１１は、上述したように、前記取付金具本体１０の表面に設けられており、左右のサイディング材２の各縁部に設けられた被係合部２ａ，２ｂにそれぞれ係合するようになっている。
このようなサイディング材係合部１１によって、前記外壁４にサイディング材２を取り付けることができるので、前記サイディング材係合部１１によってサイディング材２の左右方向へのずれを確実に防ぐことができる。
さらに、サイディング材係合部１１は、前記サイディング材２の上サネ２０および下サネ２１に係合した状態となっているので、このサイディング材係合部１１によってサイディング材２の前後方向へのずれも確実に防ぐことができるようになっている。
【００２７】
また、図１〜図３に示すように、このサイディング材係合部１１は、前記左右のサイディング材２の被係合部２ａ，２ｂを挿入するための空間を形成する立脚部１１ａと、この立脚部１１ａの上端部から所定の角度で左右交互に折曲加工された複数の係合片１１ｂとを備えている。
これによって、前記立脚部１１ａによって前記左右のサイディング材２の被係合部２ａ，２ｂを挿入するための空間を確保することができるので、この空間に前記左右のサイディング材２の被係合部２ａ，２ｂを挿入するだけで、前記複数の係合片１１ｂを前記被係合部２ａ，２ｂに容易、かつ確実に係合することができ、サイディング材２を前記外壁４に、より確実に取り付けることが可能となる。
【００２８】
前記上側支持脚１２および下側支持脚１３は、図１〜図３に示すように、前記取付金具本体１０の上下縁部に設けられ、サイディング材２を前記外壁４の表面から離間させて支持するものであり、前記取付金具本体１０に対して直交する方向、つまり外方に向かって突出している。
これによって、前記サイディング材２を前記外壁４の表面から離間させて支持することができるので、サイディング材２と外壁４との間に隙間を形成することができ、この隙間を水・通気経路として確保することができる。しかも、このように前記上側支持脚１２および下側支持脚１３によって前記サイディング材２を支持することができるので、サイディング材２を安定して設けることができる。
【００２９】
前記上側支持脚１２は、その突端に、前記サイディング材２の裏面に当接する当接面１２ａが設けられており、より安定的にサイディング材２を支持することができるようになっている。
【００３０】
また、前記下側支持脚１３には、上述したように、この下側支持脚１３の突端から下方に向かって、前記外装部品３の上端部近傍まで延出する延出部１４と、この延出部１４の下端から外方に突出し、前記サイディング材２の下端面に当接する当接部１５とが設けられている。
これによって、前記延出部１４の下端から外方に突出する当接部１５が、前記サイディング材２の下端面に当接するので、前記下側支持脚１３の突端から延出する延出部１４と、この延出部１４の下端から外方に突出する当接部１５とによって、前記サイディング材２の重量を容易、かつ確実に支承することができる。したがって、前記サイディング材２の下方へのずれを確実に防ぐことができる。
【００３１】
前記延出部１４は、前記下側支持脚１３の突端から下方に延出する板状体であり、前記上側支持脚１２の突端に設けられた当接面１２ａと同じく、前記サイディング材２の裏面に当接することによって、さらに安定的にサイディング材２を支持することができるようになっている。
なお、この延出部１４の延出長さは、前記取付金具本体１０の取付位置や、前記外装部品３の位置取り等、状況に応じて適宜変更可能である。
【００３２】
前記当接部１５は、前記延出部１４の下端から外方に突出して設けられており、前記サイディング材２の下端面に当接して、サイディング材２の重量を支承することができるようになっている。
そして、サイディング材２を取り付けるに際して、前記サイディング材係合部１１にサイディング材２を係合させるとともに、前記当接部１５にサイディング材２の下端面を当接させるだけで、前記サイディング材２を前記外装部品３から所定間隔離間させつつ、該外装部品３の上端部近傍に寄せて取り付けることができるので、サイディング材２の取り付けに際して位置決めを容易に、かつ正確に行うことが可能となる。
【００３３】
また、図１および図２に示すように、前記下側支持脚１３と延出部１４とは一体的に形成されており、前記取付金具本体１０が取付固定された位置に対応して、前記延出部１４および当接部１５が、取付金具本体１０の下方に位置して設けられた状態となっている。
これによって、前記取付金具本体１０の表面に設けられた前記サイディング材係合部１１によって、サイディング材２の左右方向へのずれをより確実に防ぐと同時に、前記延出部１４および当接部１５によって、サイディング材２の下方へのずれをより確実に防ぐことができ、サイディング材２を位置ずれなく外壁４に取り付けることができる。
【００３４】
次に、図面を参照して、以上のようなサイディング取付金具１を用いて複数のサイディング材２を外壁４に取り付けるサイディング材２の取付構造について説明する。
【００３５】
本実施の形態のサイディング材２の取付構造は、図２および図３に示すように、左右に隣り合うサイディング取付金具１，１間にサイディング材２が配置されるとともに、このサイディング材２の一方の被係合部２ａが、一方の前記サイディング取付金具１のサイディング材係合部１１に係合しており、前記サイディング材２の他方の被係合部２ｂが、他方の前記サイディング取付金具１のサイディング材係合部１１に係合しており、
前記サイディング材２の下端面が、前記一方のサイディング取付金具１の当接部１５および前記他方のサイディング取付金具１の当接部１５にそれぞれ当接している。
【００３６】
なお、前記外壁４にサイディング材２を取り付けるに際して、前記サイディング取付金具１は、サイディング材２の下端面に当接して、サイディング材２の重量を支承するものであるため、サイディング取付金具１よりも上方においては、図示はしないが、前記延出部１４および当接部１５が設けられていない状態のサイディング取付金具を用いて、サイディング材２を外壁４に取り付けるようにする。これによって、サイディング材２の左右方向へのずれを防ぐことが可能となっている。
【００３７】
このように、前記サイディング材２の一方の被係合部２ａが、一方の前記サイディング取付金具１のサイディング材係合部１１に係合しており、前記サイディング材２の他方の被係合部２ｂが、他方の前記サイディング取付金具１のサイディング材係合部１１に係合するので、左右に隣り合うサイディング取付金具１，１間にサイディング材２を配置していくことで、複数のサイディング材２を外壁４に対してさらに確実に、かつ左右方向への位置ずれなく取り付けることが可能となっている。
【００３８】
また、図２に示すように、前記サイディング材２の下端面が、前記一方のサイディング取付金具１の当接部１５および前記他方のサイディング取付金具１の当接部１５にそれぞれ当接しているので、前記左右に隣り合うサイディング取付金具１，１によって、前記サイディング材２をさらに確実に、かつバランス良く支承することができる。これによって、前記複数のサイディング材２の下方へのずれを確実に防ぐことができる。
【００３９】
一方、前記サイディング取付金具１は、上述のように、前記外壁４の表面に、左右に所定間隔で取り付けられるが、ここで、前記所定間隔とは、前記外壁４を構成する壁パネル４０の縦框材４１および縦方向の補強芯材４３の位置を指し、このような壁パネル４０の縦芯材の箇所に前記サイディング取付金具１を取り付けることによって、前記サイディング取付金具１の取り付け強度を向上させることができるようになっている。
【００４０】
また、前記下側支持脚１３と外壁４との間には隙間が形成されており、例えば、この隙間に、前記外壁４と外装部品３との接合箇所等を隠し、前記延出部１４によって遮蔽することができるので、見映えが良いだけでなく、前記外壁４と外装部品３との接合箇所からの雨水の流入等を確実に防ぐことができるようになっている。
【００４１】
本実施の形態によれば、前記サイディング材係合部１１によってサイディング材２の左右方向へのずれを確実に防ぐとともに、前記延出部１４および当接部１５によって前記サイディング材２の重量を容易、かつ確実に支承することができ、前記サイディング材２の下方へのずれを確実に防ぐことができるので、前記サイディング材２を位置ずれなく外壁４に取り付けることが可能となり、従来とは異なり、サイディング材２の取り付けに係る作業手間を省略することが可能となる。
さらに、前記サイディング材係合部１１にサイディング材２を係合させるとともに、前記当接部１５にサイディング材２の下端面を当接させるだけで、前記サイディング材２を前記外装部品３から所定間隔離間させつつ、該外装部品３の上端部近傍に寄せて取り付けることができるので、サイディング材２の取り付けに際して位置決めを容易に、かつ正確に行うことが可能となる。
また、サイディング取付金具１を用いて複数のサイディング材２を外壁４に取り付ける際も、これら複数のサイディング材２を位置ずれなく外壁４に取り付けることができるので、従来とは異なり、サイディング材２の取り付けに係る作業手間を省略することが可能となる。
【図面の簡単な説明】
【００４２】
【図１】本発明のサイディング取付金具を示す斜視図である。
【図２】本発明のサイディング材の取付構造を示す斜視図である。
【図３】本発明のサイディング材の取付構造を示す平面図である。
【符号の説明】
【００４３】
１  サイディング取付金具
２  サイディング材
３  外装部品
４  外壁
１１  サイディング材係合部
１５  当接部
【図１】
0004747033.tif 000002
【図２】
0004747033.tif 000003
【図３】
0004747033.tif 000004